(57)【特許請求の範囲】
【請求項１】
コンピュータ可読記憶媒体は情報領域を含み、
その情報領域は、
メインデータのための第１区域と、
前記メインデータを記録または再生するために必要な制御情報と、前記制御情報または前記メインデータを暗号化及び／または解読するために必要なバイフェーズ変調されたデータのための第２区域とを備え、
前記制御情報はウォーブルピットに記録され、
前記バイフェーズ変調されたデータが前記ウォーブルピットのウォーブル形態と共にエンコーディングされることで、所定時間内の或る方向への遷移に応じてビット０とビット１がそれぞれ決定され、
前記ビット０と前記ビット１のうち一方は前記所定時間内の中間でハイからローへの遷移によってのみ表現され、もう一方は前記所定時間の中間で反対方向への遷移によってのみ表現されることを特徴とするコンピュータ可読記憶媒体。
【請求項２】
前記制御情報が前記記憶媒体の前記情報領域のリードイン領域に記録されることを特徴とする請求項１に記載の記憶媒体。
【請求項３】
前記制御情報がＢＤで定義される前記リードイン領域のＰＩＣデータ領域に記録されることを特徴とする請求項２に記載の記憶媒体。
【請求項４】
前記ビット０がローからハイへの遷移によって表現され、一方で前記ビット１がハイからローへの遷移によって表現されることを特徴とする請求項３に記載の記憶媒体。
【請求項５】
前記制御情報は、前記メインデータを記録及び／または再生するために必要とされるディスク情報の一部として、または前記ディスク情報とは独立に、ＢＤで定義される前記情報領域のＰＩＣデータ領域に記録されることを特徴とする請求項１に記載の記憶媒体。
【請求項６】
記録媒体からデータを再生する方法であって、前記方法は、
メインデータを再生するために必要な制御情報と、前記制御情報または前記メインデータを暗号化及び／または解読するために必要なバイフェーズ変調されたデータを検出するするステップと、
前記メインデータを再生するために、前記制御情報を復調方式によってデコーディングするステップと、
を含み、
前記制御情報はウォーブルピットに記録され、前記バイフェーズ変調されたデータは前記ウォーブルピットのウォーブル形態でエンコーディングされることで、所定時間内の或る方向への遷移によりビット０とビット１がそれぞれ決定されることを特徴とする方法。
【請求項７】
前記制御情報は前記記録媒体のリードイン領域に記録され、前記検出するステップは前記リードイン領域の前記制御情報を読みとることを特徴とする請求項６に記載の方法。
【請求項８】
前記制御情報はＢＤで定義される前記リードイン領域のＰＩＣデータ領域に記録され、
前記検出するステップはＰＩＣ領域の前記制御情報を検出することを特徴とする請求項７に記載の方法。
【請求項９】
前記ビット０はローからハイへの遷移によって表現され、一方で前記ビット１がハイからローへの遷移によって表現され、
前記検出するステップは、各々の遷移方向を識別することによって前記ビット０または１をデコーディングすることを特徴とする請求項６に記載の方法。
【請求項１０】
前記制御情報は、前記メインデータを記録及び／または再生するために必要とされるディスク情報の一部として、または前記ディスク情報とは独立に、ＢＤで定義されるＰＩＣデータ領域に記録され、
前記検出するステップが前記ディスク情報の一部として、または前記ディスク情報とは独立に、前記制御情報を読みとるステップを含むことを特徴とする請求項６に記載の方法。
【請求項１１】
記録媒体からデータを再生するための装置であって、この装置は、 
メインデータを再生するために必要とされる制御情報と、前記制御情報またはメインデータを暗号化および／または解読するのに必要なバイフェーズ変調されたデータとを検出するように構成された信号検出器と、
復調方式によって前記制御情報をデコーディングするように構成され、前記信号検出器に結合された信号処理器と、
前記制御情報および前記バイフェーズ変調されたデータの検出を制御し、かつ前記制御情報の前記デコーディングと前記メインデータの前記解読とを制御するように構成され、前記信号検出器に結合された制御装置と、
を備え、
前記制御情報はウォーブルピットに記録され、前記バイフェーズ変調されたデータは前記ウォーブルピットのウォーブル形態でエンコーディングされることで、所定時間内の或る方向への遷移によりビット０とビット１がそれぞれ決定されることを特徴とする装置。
【請求項１２】
前記制御情報は前記記録媒体のリードイン領域に記録され、
前記制御装置は前記リードイン領域の前記制御情報を検出するために前記信号検出器を制御するように構成されることを特徴とする請求項１１に記載の装置。
【請求項１３】
前記制御情報はＢＤで定義されるＰＩＣデータ領域に記録され、
前記制御装置は、前記ＰＩＣ領域の前記制御情報を検出するために前記信号検出器を制御するように構成されることを特徴とする請求項１２に記載の装置。
【請求項１４】
前記ビット０はローからハイへの遷移によって表現され、一方で前記ビット１がハイからローへの遷移によって表現され、
前記信号処理器は、各々の遷移方向を識別することによって前記ビット０または１をデコーディングするように構成されることを特徴とする請求項１１に記載の装置。
【請求項１５】
前記制御情報は、前記メインデータを記録及び／または再生するために必要とされるディスク情報の一部として、または前記ディスク情報とは独立に、ＢＤで定義されるＰＩＣデータ領域に記録され、
前記信号検出器は前記ディスク情報の一部として、または前記ディスク情報とは独立に、前記制御情報を検出するように構成されることを特徴とする請求項１１に記載の装置。
【発明の詳細な説明】
【技術分野】
【０００１】
本発明は、複写防止のための情報のような識別情報を含むＢＤ−ＲＯＭ（Ｂｌｕ−ｒａｙ  Ｄｉｓｃ  ＲＯＭ）のような記録媒体と、その記録媒体にデータを形成して、記録して、再生する装置及び方法と、再生を制御する装置及び方法に関する。
【背景技術】
【０００２】
最近、高画質のビデオデータと高音質のオーディオデータを長時間記録することができる新しい高密度光ディスクである再記録可能なブルーレイディスク（ＢＤ−ＲＥ：Ｂｌｕ−ｒａｙ  Ｄｉｓｃ−Ｒｅｗｒｉｔａｂｌｅ）が開発されている。ＢＤ−ＲＥの規格が確定されれば、近い将来商業的に利用されるであろう。
【０００３】
ＢＤ−ＲＥは、図１に示したように、ディスクの内周側からクランピング領域、ＢＣＡ（Ｂｕｒｓｔ  Ｃｕｔｔｉｎｇ  Ａｒｅａ）領域、トランジション領域、そしてリードイン領域がこの順序通り存在し、ディスクの中間部と外周部に、データ領域とリードアウト領域がそれぞれ存在するディスク構造となっている。
【０００４】
リードイン領域には、第１ガード（Ｇｕａｒｄ  １）領域とＰＩＣ（Ｐｅｒｍａｎｅｎｔ  ｉｎｆｏｒｍａｔｉｏｎ  ＆  Ｃｏｎｔｒｏｌｄａｔａ）領域、第２ガード（Ｇｕａｒｄ  ２）領域、情報２（Ｉｎｆｏ  ２）領域、ＯＰＣ（Ｏｐｔｉｍｕｍ  Ｐｏｗｅｒ  Ｃａｌｉｂｒａｔｉｏｎ）領域などが区分して割り当てられている。第１ガード領域とＰＩＣ領域は、事前にデータがあらかじめ記録されている領域であり、、リードイン領域の残りの域と、データ領域、リードアウト領域は、新しいデータが再記録される領域である。
【０００５】
ＰＩＣ領域には、永久に保存されなければならないディスクの主要一般情報を記録する領域であって、その情報がトラックのウォーブル形状にＨＦＭ（Ｈｉｇｈ  Ｆｒｅｑｕｅｎｃｙ  Ｍｏｄｕｌａｔｅｄ）方式によりエンコーディングされて記録される。ＨＦＭグルーブ（ｇｒｏｏｖｅ）は高周波帯域信号で放射方向に変調して、充分な容量とデータレートで繰り返された情報のためのデータチャネルを形成する。ウォーブル形状へのデータエンコーディングは、図２に示したように、バイフェーズ変調（Ｂｉ−Ｐｈａｓｅ  Ｍｏｄｕｌａｔｅｄ）方式により変調され、そのようにしてデータが記録される。
【０００６】
この変調方式では、０のビットがビットセルのスタートで遷移するものとして表現される一方、１のビットはビットセルのスタートと中間で遷移されるものとして表現される。図２に示したように、変調したビットはグルーブの中心線からの片寄りによってディスク上に記録される。各ビットセルの長さは３６Ｔでなければならないが、このＴは再記録可能なデータ領域でのチャネルビットの長さに対応する。
【０００７】
ＢＤ−ＲＥの開発とともに、それに対応する再生専用ディスクである再生専用ブルーレイディスク（‘ＢＤ−ＲＯＭ’という）も開発されている。このディスクは図３に示したように、インナー領域、クランピング領域、トランジション領域、情報領域、リム領域を備えている。
【０００８】
情報領域内のデータ領域に記録されるＡ／Ｖストリームのメインデータを、無断複写を防止するための複写防止情報（ＣＰＩ：Ｃｏｐｙ  Ｐｒｏｔｅｃｔｉｏｎ  Ｉｎｆｏｒｍａｔｉｏｎ）により暗号化させて記録することができる。
【０００９】
情報領域内のＰＩＣ領域には、ディスクの種類のようなディスクに関する多様なディスク情報（ＤＩ）が記録され、データゾーンに暗号化したメインデータが記録された場合にはこれを解読するための情報である複写防止情報（ＣＰＩ）もここに記録される。
【００１０】
記録媒体を再生する光ディスク装置は、ディスク装着による初期サーボ動作遂行時、ＰＩＣ領域に記録された複写防止情報（ＣＰＩ）を検出した後、データ領域に記録されたメーンデータが暗号化していれば、その複写防止情報を利用して復号化して出力する。
【発明の開示】
【発明が解決しようとする課題】
【００１１】
しかし、ＢＤ−ＲＯＭのデータ領域に収録されたコンテンツを暗号化していず、ＰＩＣ領域に複写防止情報が記録されない場合にも、光ディスク装置は、初期サーボ動作遂行時、暗号化している場合を予想してＰＩＣ領域の複写防止情報を検出する一連の動作を必ず行う。このような予備的動作は実質的なデータ再生動作のスタートを遅延させることになる。また、あるデータが再記録ディスクすなわちＢＤ−ＲＥや記録可能ディスクすなわちＢＤ−ＷＯに記録されていて、そのデータの複写を防止するようになっていれば、そのデータが再生される時にも同様な問題を起こす。
【００１２】
さらに、複写防止情報が検出されない場合には、ディスクが違法な媒体であるためはじめから複写防止情報がないのか、あるいは合法媒体であるが複写が許容された媒体であるため複写防止情報がないのかを区別することができない。
【課題を解決するための手段】
【００１３】
本発明の例示的な実施態様形態は、媒体に記録されたコンテンツの再生のために、複写防止情報のような選択的情報が必要か否かを示す指示情報を含むＢＤ−ＲＯＭのような高密度及び／または再生専用記録媒体のような記録媒体と、その記録媒体にデータを形成し、記録し、再生する方法と装置を提示する。
【００１４】
本発明の例示的な実施態様は、記録されたコンテンツを再生するための複写防止情報のような選択的情報が存在しているか否かを示す、特定領域内の情報を含むＢＤ−ＲＯＭのような高密度及び／または再生専用記録媒体のような記録媒体と、その記録媒体にデータを形成し、記録し、再生する方法と装置を提示する。
【００１５】
本発明の例示的な実施態様は、ディスク情報内に複写防止情報のような選択的情報が存在するか否かに関する情報を含むＢＤ−ＲＯＭのような高密度及び／または再生専用記録媒体のような記録媒体と、その記録媒体にデータを形成し、記録し、再生する方法と装置を提示する。
【００１６】
本発明の例示的な実施態様は、複写防止情報フィールドのヘッダー情報として複写防止情報のような選択的情報が存在するか否かに関する情報を含むＢＤ−ＲＯＭのような高密度及び／または再生専用記録媒体のような記録媒体と、その記録媒体にデータを形成し、記録し、再生する方法と装置を提示する。
【００１７】
本発明の例示的な実施態様は、複写防止情報のような選択的情報が存在しているか否か、デコーディングが必要か否かを決定するのに使用される複写防止指示情報のような指示情報を含むＢＤ−ＲＯＭのような高密度及び／または再生専用記録媒体のような記録媒体と、その記録媒体にデータを形成し、記録し、再生する方法と装置を提示する。
【００１８】
本発明の例示的な実施態様は、複写防止情報のような選択的情報が存在しているか否かと、デコーディングが必要か否かが記録されたコンテンツがエンコーディングされたか否かに関係なくそのコンテンツの再生を直接開始するか否かを決定するのに使用される複写防止指示情報のような識別情報を含むＢＤ−ＲＯＭのような高密度及び／または再生専用記録媒体のような記録媒体と、その記録媒体にデータを形成し、記録し、再生する方法と装置を提示する。
【００１９】
本発明の例示的な実施態様は、記録されたデータのための第１区域と、存在する場合にはその記録されたデータの記録または再生を制御する選択的情報のための第２区域と、その選択的情報が存在するか否かを識別する情報のための第３区域を含む情報領域を含むＢＤ−ＲＯＭのような高密度及び／または再生専用記録媒体のような記録媒体と、その記録媒体にデータを形成し、記録し、再生する方法と装置を提示する。ここで、第２区域及び／または第３区域は記録媒体の領域にウォーブル形状のプリピット形態で記録される。
【００２０】
本発明の例示的な実施態様は、ＢＤ−ＲＯＭのような高密度及び／または再生専用記録媒体のような記録媒体に記録されたデータを再生するための方法を提示する。本方法は、記録されたデータを選択的情報及び／または識別情報に基づいて再生するために、存在する場合には、記録されたデータの記録または再生を制御する選択的情報及び／または前択的情報が存在するか否かを識別する識別情報を利用する過程を含む。ここで、選択的情報及び／または識別情報が記録媒体の領域にウォーブル形状のプリピット形態で記録される。
【００２１】
本発明の例示的な実施態様は、ＢＤ−ＲＯＭのような高密度及び／または再生専用記録媒体のような記録媒体に記録されたデータを再生するための方法を提示する。本方法は、存在する場合には、記録されたデータの記録または再生を制御する選択的情報を選択的に記録し、選択的情報が存在するか否かを識別する情報を記録する過程を含む。ここで、選択的情報及び／または識別情報が記録媒体の領域にウォーブル形状のプリピット形態で記録される。
【００２２】
本発明の例示的な実施態様は、ＢＤ−ＲＯＭのような高密度及び／または再生専用記録媒体のような記録媒体に記録されたデータを再生するための装置を提示する。本装置は、記録されたデータを選択的情報及び／または識別情報に基づいて再生するために、存在する場合には、記録されたデータの記録または再生を制御する選択的情報及び／または選択的情報が存在するか否かを識別する識別情報を利用する。ここで、選択的情報及び／または識別情報が記録媒体の領域にウォーブル形状のプリピット形態で記録される。
【発明を実施するための最良の形態】
【００２３】
以下、本発明による記録媒体と、その記録媒体への複写防止情報の形成、記録、再生方法と装置の望ましい実施形態に対して、添付した図面を参照しながら詳細に説明する。
【００２４】
本発明の例示的な実施形態による再生専用ブルーレイディスク（ＢＤ−ＲＯＭ）は、図３を参照しながら前述したように、インナー領域、クランピング領域、トランジション領域、情報領域、リム領域からなるディスク構造を有する。
【００２５】
情報領域内に割り当てられているＰＩＣ領域には、図４に示したように、ディスク一般情報であるディスク情報が記録されて共に、データ領域に暗号化して記録されたメインデータ、例えばＡ／Ｖデータストリームを解読するのに必要な複写防止情報（ＣＰＩ）が含まれて記録されることができる。
【００２６】
この複写防止情報は、データ領域にメインデータが暗号化されずに記録されている場合には、ＰＩＣ領域に記録される必要はない。
【００２７】
そのため、ＰＩＣ領域に複写防止情報が記録されていているか否かを示すためのフラッグをＰＩＣ領域に記録されるディスク情報に含めて記録して置く。複写防止情報の存否、すなわちあるかないかを示すフラッグ（ＣＰＩ_ｒｅｃ_Ｆｌａｇ）は１バイトの記録サイズでよい。
【００２８】
複写防止情報存否フラッグは、図５に示したように、ディスク情報に確保されている予備空間（Ｒｅｓｅｒｖｅｄ）に１バイトを割り当てて記録される。
【００２９】
ＰＩＣ領域にディスク情報を繰り返して数回記録することができるが、前記フラッグバイトは、ＰＩＣ領域に反復記録される複数のディスク情報のうち１番目ディスク情報にだけ記録しておけばよい。
【００３０】
複写防止情報存否フラッグ（ＣＰＩ_ｒｅｃ_Ｆｌａｇ）を、図６に示したように、複写防止情報が記録されるＰＩＣ領域の内側に割り当てられた他の領域、例えばＢＣＡ（Ｂｕｒｓｔ  Ｃｕｔｔｉｎｇ  Ａｒｅａ）領域内に記録することもできる。
【００３１】
複写防止情報を、その存否を示すフラッグと共に、一般的にデータが記録される直列ピット形態ではないウォーブルピット形態でエンコーディングして記録することもできる。そのために必要なトラック区間だけピットをウォーブル形態で形成させることができる。また、複写防止情報をエンコーディングして、ウォーブルピットと直列ピットを交番的にまたは間歇的にＰＩＣ領域に記録することができる。他には、ＰＩＣ領域以外の他の領域に選択的にまたは反復的に複写防止情報を記録することができる。複写防止情報は、ＢＤ−ＲＥのようなＨＦＭグルーブウォーブル方法により記録される。
【００３２】
複写防止情報はデータ領域に記録されるメインデータを暗号化するためのキー値を含む。
【００３３】
図７はデータがバイフェーズ変調方式でウォーブルピットの形態にエンコーディングされて記録された情報と、そのデータを検出する例を図示したものである。図７は、‘０１０１’の値が、ウォーブルピットのウォーブル形態と共に、バイフェーズ変調形態、例えばバイフェーズ変調ＨＦＭグルーブでエンコーディングされた例である。図７のウォーブルピットの記録例では、一ビットの値が６個の３Ｔ信号（マーク）が記録された３６Ｔ（マークとスペースを含む）で構成され、‘１’を示す６個のピット列と‘０’を示す６個のピット列の左右遷移は互いに反対に構成されている。
【００３４】
図７に示したように、バイフェーズ変調による構造は図２に例示された構造と異なる。すなわち、図２の方法は、ビットセルのスタートの遷移で表現される０のビットと、ビットセルのスタートと中間の遷移で表現される１のビットを有するが、図７の方法は、ローのスタートと中間でハイへの遷移で表現される０のビットと、その反対方向への遷移で表現される１のビットを有する。ビットの組合せはウォーブルピットで記録される情報を検出するためのデータを構成する。ウォーブルピットは複写防止情報、例えば、図４Ａないし図４Ｆに示した記録媒体のデータ領域に記録されたメインデータを解読するためのキーデータであってよい。
【００３５】
すなわち、ウォーブルピットデータは、バイフェーズ変調データが検出される時だけまたは正常に再生される時だけ再生され、または検出されることができる。そして、また、正常に検出され、または再生されたバイフェーズ変調データを用いて複写防止のためのウォーブルピットデータを再生したり検出する時だけメインデータの再生または解読が可能である。
【００３６】
情報がピットで記録される時、同一のピットを繰り返えさないで、入力情報によって変調した異なる長さ（２Ｔ−８Ｔ）で記録することができる。しかし、このような場合に、データをウォーブルピットのウォーブル形態にエンコーディングするために、ピットシーケンス（すなわち、フェーズ）の位置がほぼ１８Ｔごとににシフトされる。
【００３７】
そのような方式で記録されたウォーブルピットから反射された反射光は４分割光受信素子１３−１６により光電変換させられる。
【００３８】
図７に例示されたように、光電変換された電気的信号Ｅａ、Ｅｂ、Ｅｃ、Ｅｄは通常のプッシュプルトラック制御のための回路により増幅される。さらに詳細には、トラックの左側と右側信号Ｅａ＋Ｅｂ、Ｅｃ＋Ｅｄがそれぞれの増幅器１０、１１により増幅されて、左右信号の差信号５０１（（Ｅａ＋Ｅｂ）−（Ｅｃ＋Ｅｄ））が差動増幅器１２により出力される。
【００３９】
差信号５０１を特定基準レベルと比較して二進信号に変換させればウォーブルピットにエンコーディングされたデータを得ることができる。
【００４０】
ウォーブルピットのウォーブル形態から検出された信号は外部で利用できないので、ＢＤ−ＲＯＭから再生されるデータを他記録媒体に複写してもその複写されたデータの再生は不可能である。
【００４１】
ウォーブル形態で記録する代わりに、法的権限を有する製造社の間で約束された他の方式によってデータをＰＩＣ領域に記録して、それを検出する方式を選ぶようにすれば、不法製造業者がＢＤ−ＲＯＭを複製するのがより困難になる。
【００４２】
図８はディスク記録媒体を再生する光ディスク装置を概括的に示したものであって、光ピックアップ１１、信号処理及びサーボ制御を遂行するＶＤＰ（Ｖｉｄｅｏ  Ｄｉｓｃ  Ｐｌａｙ）システム１２、そしてＤ／Ａ変換器１３などを含むが、この装置は図９と結合して説明された複写防止情報があるか無いかに応じて再生過程を実行する。
【００４３】
ディスク装置のＶＤＰシステム１２は、装着された（Ｓ１０）ＢＤ−ＲＯＭのＰＩＣ領域に記録されたまたはウォーブルピットに記録されたディスク情報のうち複写防止情報の存否を示すフラッグ（ＣＰＩ_ｒｅｃ_Ｆｌａｇ）を検出（Ｓ１１）したり、またはＢＤ−ＲＯＭのＢＣＡ領域に記録されたフラッグを検出（Ｓ１１）して、複写防止情報が記録されているかを判別する（Ｓ１２）。
【００４４】
フラッグが検出されるとその値を確認する（Ｓ１３）。その値が複写防止情報が記録されていることを示す場合、光ディスク装置のＶＤＰシステム１２は、ＰＩＣ領域に記録されたまたはウォーブルピットにエンコーディングされている複写防止情報を検出する動作を実施（Ｓ１４）した後、その複写防止情報を利用して、データ領域に記録された暗号化データを解読及び再生する一連のデータ再生動作を遂行（Ｓ１５）する。
【００４５】
反面、フラッグの値が、複写防止情報が記録されていないことを示す場合または複写防止存否フラッグが検出されない場合、ＶＤＰシステム１２は、ＰＩＣ領域に記録されていない複写防止情報を検出しようとする不要な動作を省略して、データ領域に記録されたコンテンツを読んで出力する動作をすぐ遂行する（Ｓ２０）。
【００４６】
複写防止情報存否フラッグは図５の例示的な実施形態のようにディスク情報に含める代わりに、それを複写防止情報と共にＰＩＣ領域に記録することもできる。
【００４７】
図１０はその例示的な実施形態である。すなわち、図１０の例示的な実施形態では、複写防止情報存否フラッグ（ＣＰＩ_ｒｅｃ_Ｆｌａｇ）を複写防止情報（ＣＰＩ）フィールドのヘッダー情報に記録する。
【００４８】
複写防止情報存否フラッグは１バイトの記録サイズで良い。、その値が'００００  ００００’の場合には、複写防止情報が記録されていないことを（この場合にはそれに続く複写防止情報フィールドにすべて‘００’の値が記録される）、'００００  １１１１’の場合には、複写防止情報が記録されていることを示すようにすることができる。
【００４９】
他の例示的な実施形態では、複写防止情報存否フラッグをヘッダー情報に有する複写防止情報は、ＰＩＣ領域以外の他の特定記録領域、例えば、ＢＣＡ領域等のような領域内に記録されることもできる。
【００５０】
そして、複写防止情報存否フラッグをヘッダーに有する複写防止情報はＰＩＣ領域内に記録されるディスク情報の一フィールドで記録されても良く、またディスク情報とは別の構造で記録されることもできる。
【００５１】
図１１は複写防止情報がディスク情報とは別に区分されてＰＩＣ領域に記録される例示的な実施形態を示したものである。
【００５２】
図１１の例示的な実施形態においても、複写防止情報は複写防止情報存否フラッグをヘッダーに有し、フラッグの値が'００００  ００００’の場合には、複写防止情報が記録されていないことを（この場合にはそれに続く複写防止情報フィールドがすべて‘００’の値で記録される）、'００００  １１１１’の場合には、複写防止情報が記録されていることを示す。
【００５３】
以上説明した本発明の例示的な実施形態による高密度再生専用記録媒体と、その記録媒体の複写防止情報記録／再生方法は、高密度再生専用ディスクに収録されたコンテンツの再生を、それが暗号化されていない場合には迅速に行なうようにして、暗号化されている場合には解読情報をそのディスクから読み出して正当に再生できるようにする。
【００５４】
また、暗号化したデータの解読に関する情報は、複写が難しいウォーブルピットのような形態で記録すれば高密度再生専用ディスクに収録されたコンテンツの違法な複製を防止することができる。
【００５５】
以上、前述した本発明の望ましい実施形態は、例示の目的のために開示されたものであって、当業者ならば、添付された特許請求範囲に開示された本発明の技術的思想とその技術的範囲内で、また他の多様な実施形態を改良、変更、代替または付加などが可能である。
【図面の簡単な説明】
【００５６】
【図１】従来の再記録可能なブルーレイディスク（ＢＤ−ＲＥ）のディスク構造を示したものである。
【図２】再記録可能なブルーレイディスクのＰＩＣ領域に形成された高周波変調（ＨＦＭ）グルーブを示したものである。
【図３】本発明の例示的な実施形態で再生専用ブルーレイディスク（ＢＤ−ＲＯＭ）に割り当てられている各領域を示したものである。
【図４】本発明の例示的な一実施形態によって複写防止情報の存否を示す情報がブルーレイディスクのＰＩＣ領域に記録されている実施形態を示したものである。
【図５】本発明の例示的な一実施形態によって、複写防止情報存否フラッグを含む、高密度ブルーレイディスクに記録管理されるディスク情報のフィールドを示したものである。
【図６】本発明によって複写防止情報の存否を示す情報がブルーレイディスクのＢＣＡ領域に記録されている例示的な実施形態を示したものである。
【図７】本発明の例示的な実施形態によってウォーブルピットにエンコーディングされたデータを検出する過程の例を示したものである。
【図８】本発明の例示的な一実施形態が適用された高密度ブルーレイディスクを再生できる光ディスク装置の構成を概略的に示したのである。
【図９】本発明の例示的な実施形態による高密度ブルーレイ光ディスクを再生する過程を示したものである。
【図１０】本発明の例示的な実施形態によって複写防止情報の存否を示す情報がブルーレイディスクの記録されている例をそれぞれ示したものである。
【図１１】本発明の例示的な実施形態によって複写防止情報の存否を示す情報がブルーレイディスクの記録されている例をそれぞれ示したものである。
【図１】
0004571660.tif 000002
【図２】
0004571660.tif 000003
【図３】
0004571660.tif 000004
【図４】
0004571660.tif 000005
【図５】
0004571660.tif 000006
【図６】
0004571660.tif 000007
【図７】
0004571660.tif 000008
【図８】
0004571660.tif 000009
【図９】
0004571660.tif 000010
【図１０】
0004571660.tif 000011
【図１１】
0004571660.tif 000012